(57)【要約】【課題】携帯電話端末などでの通信の際におけるイラスト表示などのコンテンツ呈示にエンターテインメント性や意外性・偶然性を持たせる。【解決手段】端末利用者は、想定される相手方につき、呈示されるコンテンツの種類を指定しておくことができる。端末のコンテンツ選択部６５は、メール受信時、送信者が誰であるかによってデータベースを選択する。さらに、メール内容、メール受信日時、端末が置かれた環境を示す情報、および端末利用者の生体状況を示す情報を解析し、その解析結果に適合したコンテンツを、呈示するコンテンツとして選択して、選択したデータベースから読み出し、ディスプレイ上に表示する。メール送信者が『まみ』であるとき、イラストデータベース５３から、上記の解析結果に適合したイラストが選択される。メール送信者が『さくら』であるとき、花言葉データベース５１から、上記の解析結果に適合した花言葉が選択される。【選択図】図１１
2005316650.tif 000002
【特許請求の範囲】
【請求項１】
無線または有線の通信網によって他の端末との間で通信を行う端末であって、
当該端末での送受信のタイミングを示す情報、送受信の内容を示す情報、当該端末または当該端末との間で通信を行う他の端末の環境を示す情報、および、当該端末または当該端末との間で通信を行う他の端末の利用者の生体状況を示す情報、のうちの少なくとも一つを参照情報として、その参照情報に基づいて、当該端末での送受信に関連して呈示されるコンテンツを選択するコンテンツ選択手段と、
その選択されたコンテンツのデータを、当該端末が備える記憶装置部、または当該端末に装着された記録媒体から読み出し、または外部機器から受信するコンテンツデータ取得手段と、
その取得されたコンテンツデータを処理して、当該端末が備える出力手段、または当該端末に接続された出力手段によって、コンテンツを呈示するコンテンツ呈示手段と、
を備えることを特徴とする通信端末。
【請求項２】
請求項１の通信端末において、
前記コンテンツ選択手段は、前記参照情報と、送受信の相手方を示す情報とに基づいて、コンテンツを選択することを特徴とする通信端末。
【請求項３】
請求項２の通信端末において、
前記記憶装置部、前記記録媒体または前記外部機器に格納されているコンテンツデータは、複数の種類に分類され、
当該端末は、想定される送受信の相手方につきコンテンツの種類を指定する種類指定手段を備え、
前記コンテンツ選択手段は、前記相手方情報で示される送受信の相手方につき、前記種類指定手段によってコンテンツの種類が指定されているときには、その指定されている種類内からコンテンツを選択する、
ことを特徴とする通信端末。
【請求項４】
請求項１，２または３の通信端末において、
前記記憶装置部、前記記録媒体または前記外部機器に格納されているコンテンツデータには、当該コンテンツの属性を示す情報として、当該コンテンツのカテゴリーを示す情報、当該コンテンツにつき定められた時期を示す情報、または当該コンテンツにつき定められたメッセージ度を示す情報が付加され、
前記コンテンツ選択手段は、前記参照情報を解析し、前記属性情報を参照して、前記参照情報の解析結果に適合した属性を有するコンテンツを選択する、
ことを特徴とする通信端末。
【請求項５】
無線または有線の通信網によって他の端末との間で通信を行う端末において、当該端末での送受信に関連して、コンテンツを選択呈示する方法であって、
当該端末での送受信のタイミングを示す情報、送受信の内容を示す情報、当該端末または当該端末との間で通信を行う他の端末の環境を示す情報、および、当該端末または当該端末との間で通信を行う他の端末の利用者の生体状況を示す情報、のうちの少なくとも一つを参照情報として、その参照情報に基づいて、呈示するコンテンツを選択するコンテンツ選択工程と、
その選択したコンテンツのデータを、当該端末が備える記憶装置部、または当該端末に装着された記録媒体から読み出し、または外部機器から受信するコンテンツデータ取得工程と、
その取得したコンテンツデータを処理して、当該端末が備える出力手段、または当該端末に接続された出力手段によって、コンテンツを呈示するコンテンツ呈示工程と、
を備えることを特徴とするコンテンツ選択呈示方法。
【請求項６】
請求項５のコンテンツ選択呈示方法において、
前記コンテンツ選択工程では、前記参照情報と、送受信の相手方を示す情報とに基づいて、コンテンツを選択することを特徴とするコンテンツ選択呈示方法。
【請求項７】
請求項６のコンテンツ選択呈示方法において、
前記記憶装置部、前記記録媒体または前記外部機器に格納されているコンテンツデータは、複数の種類に分類され、
前記コンテンツ選択工程では、前記相手方情報で示される送受信の相手方につき、想定される送受信の相手方につきコンテンツの種類を指定する種類指定手段によってコンテンツの種類が指定されているときには、その指定されている種類内からコンテンツを選択する、
ことを特徴とするコンテンツ選択呈示方法。
【請求項８】
請求項５，６または７のコンテンツ選択呈示方法において、
前記記憶装置部、前記記録媒体または前記外部機器に格納されているコンテンツデータには、当該コンテンツの属性を示す情報として、当該コンテンツのカテゴリーを示す情報、当該コンテンツにつき定められた時期を示す情報、または当該コンテンツにつき定められたメッセージ度を示す情報が付加され、
前記コンテンツ選択工程では、前記参照情報を解析し、前記属性情報を参照して、前記参照情報の解析結果に適合した属性を有するコンテンツを選択する、
ことを特徴とするコンテンツ選択呈示方法。
【発明の詳細な説明】
【技術分野】
【０００１】
この発明は、通話機能やメール送受信機能などの通信機能を備える携帯電話端末などの通信端末、および、この通信端末での通信に関連して、テキストや画像などのコンテンツを選択し、端末利用者に呈示する方法に関する。
【背景技術】
【０００２】
携帯電話端末などの通信端末では、当該端末での送受信に関連して端末利用者にコンテンツを呈示することが考えられている。
【０００３】
例えば、特許文献１（特許第２９４４４９３号公報）には、携帯電話機において、着信音および報知音のメロディおよびリズムをユーザが自由に設定できるようにすることが示されている。
【０００４】
現在では、あらかじめ着信相手ごとに、通話やメールの着信音（いわゆる着メロや着ウタ）を変えておくことによって、だれからの着信であるかが容易に分かるようにされている。
【０００５】
また、特許文献２（特開２００１−２９１００２号公報）には、通信ネットワークを通じた各利用者からの要求によって、情報配信サービス提供者側のサーバが、各利用者から提示された利用者の性別や年齢などの情報に応じて、各利用者に合った広告や商品などの情報を選択し、通信ネットワークを通じて各利用者に配信することが示されている。
【０００６】
上に挙げた先行技術文献は、以下の通りである。
【特許文献１】特許第２９４４４９３号公報
【特許文献２】特開２００１−２９１００２号公報
【発明の開示】
【発明が解決しようとする課題】
【０００７】
しかしながら、着信音についての、特許文献１に示された方法、または現在実施されている方法では、設定時に自分の好みの着信音を選択できる楽しみがあるものの、再生される着信音は発信者ごとに固定されるので、エンターテインメント性や意外性・偶然性に欠ける。
【０００８】
また、特許文献２に示された情報配信方法では、利用者が積極的に要求しない限り情報が提供されないとともに、提供される情報も利用者に便利な情報に限られるため、同様にエンターテインメント性や意外性・偶然性に欠ける。
【０００９】
そこで、この発明は、携帯電話端末などの通信端末での通信に関連して端末利用者にコンテンツを呈示するに当たって、エンターテインメント性や意外性・偶然性を持たせることができるようにしたものである。
【課題を解決するための手段】
【００１０】
この発明の通信端末は、
無線または有線の通信網によって他の端末との間で通信を行う端末であって、
当該端末での送受信のタイミングを示す情報、送受信の内容を示す情報、当該端末または当該端末との間で通信を行う他の端末の環境を示す情報、および、当該端末または当該端末との間で通信を行う他の端末の利用者の生体状況を示す情報、のうちの少なくとも一つを参照情報として、その参照情報に基づいて、当該端末での送受信に関連して呈示されるコンテンツを選択するコンテンツ選択手段と、
その選択されたコンテンツのデータを、当該端末が備える記憶装置部、または当該端末に装着された記録媒体から読み出し、または外部機器から受信するコンテンツデータ取得手段と、
その取得されたコンテンツデータを処理して、当該端末が備える出力手段、または当該端末に接続された出力手段によって、コンテンツを呈示するコンテンツ呈示手段と、
を備えることを特徴とする。
【００１１】
上記の構成の、この発明の通信端末では、例えば、コンテンツ選択手段が、当該端末での送受信のタイミングを示す情報のみに基づいて、呈示されるコンテンツをランダムに選択し、コンテンツ呈示手段が、そのランダムに選択されたコンテンツを呈示する。したがって、コンテンツの呈示にエンターテインメント性や意外性・偶然性が得られる。
【００１２】
あるいは、例えば、コンテンツ選択手段が、当該端末での送受信のタイミングを示す情報、送受信の内容を示す情報、当該端末または当該端末との間で通信を行う他の端末の環境を示す情報、あるいは当該端末または当該端末との間で通信を行う他の端末の利用者の生体状況を示す情報に基づいて、呈示されるコンテンツを選択し、コンテンツ呈示手段が、その選択されたコンテンツを呈示する。したがって、その時の状況やその場の環境に応じたコンテンツが呈示され、コンテンツの呈示にエンターテインメント性や意外性・偶然性が得られる。
【発明の効果】
【００１３】
以上のように、この発明によれば、携帯電話端末などの通信端末での通信に関連して端末利用者にコンテンツを呈示するに当たって、エンターテインメント性や意外性・偶然性を持たせることができる。
【発明を実施するための最良の形態】
【００１４】
〔通信端末としての携帯電話端末の例：図１〜図８〕
図１は、この発明の通信端末の一例の機能ブロック構成を示し、携帯電話端末として構成される場合である。
【００１５】
この例の携帯電話端末１０は、ＣＰＵ１１を備え、そのバス１２に、ＣＰＵ１１が実行する後述のコンテンツ選択呈示処理プログラムなどのプログラムや必要な固定データが書き込まれたＲＯＭ１３、およびプログラムやデータが展開されるＲＡＭ１４が接続される。
【００１６】
さらに、バス１２には、日時を計測する時計部１５、操作部としてのキー入力部１６、ディスプレイとしての液晶表示部１７、いわゆるマナーモードでの着信時などに振動を発生させる振動部１８、およびカメラ付き携帯電話端末としてのカメラ部１９が接続される。
【００１７】
また、バス１２には、送話器（マイクロフォン）２１が、音声増幅回路２２、およびＡＤコンバータなどのインターフェース２３を介して接続され、受話器（スピーカ）２６が、ＤＡコンバータなどのインターフェース２４、および音声増幅回路２５を介して接続されるとともに、ＲＦ送受信回路などのＲＦインターフェース２８を介して送受信アンテナ２９が接続される。
【００１８】
また、当該の携帯電話端末１０に装着されたＭｅｍｏｒｙＳｔｉｃｋ（登録商標）などの外部メモリ３２が、メモリインターフェース３１を介して、バス１２に接続されるとともに、バス１２は、外部インターフェース３４を介して、インターネット３５に接続される。
【００１９】
さらに、環境センサ４１が、ＡＤコンバータ４２を介して、バス１２に接続されるとともに、生体センサ４３が、ＡＤコンバータ４４を介して、バス１２に接続される。
【００２０】
環境センサ４１は、携帯電話端末１０が置かれている環境、具体的には、（１）気温、湿度、気圧、風向き、風速、風量などの、天候または気候、（２）緯度、経度、標高などの位置や、地形などの地理的状況、（３）照度、照明色、環境音などの、照明や音についての状況、などを測定するもので、温度センサ、気圧センサ、風速センサ、位置センサ、光センサ、マイクロフォンなどである。
【００２１】
生体センサ４３は、携帯電話端末１０を利用（所持）する者の生体状況、すなわち、体動（身体動作）、握り圧、筋電位、皮膚表面電位、心拍、脈拍、血圧、呼吸、脳波、脳磁図、ＭＶ（マイクロバイブレーション）、皮膚発汗、皮膚抵抗、瞳孔径、生化学反応などを測定するもので、圧力センサ、曲げセンサ、測距センサ、加速度センサ、傾斜センサ、磁気センサ、電流センサ、帯電位センサ、電磁誘導センサ、温度センサ、カメラなどである。
【００２２】
さらに、この例では、バス１２にコンテンツメモリ４５が接続され、あらかじめ、このコンテンツメモリ４５に各種のコンテンツデータが格納される。
【００２３】
コンテンツは、テキスト（文字）、画像、音声、光、振動、機械的変化など、人が五感によって感知しうる情報である。画像には、動画、静止画、グラフィックス、イラストなどを含み、音声には、音楽、話声、自然音などを含む。コンテンツデータは、このようなコンテンツをデジタルデータとして表現したものである。
【００２４】
以上のような構成の携帯電話端末１０は、コンテンツの選択および呈示に関しては、図２に示すように、コンテンツデータベース５０、送受信タイミング通知部６１、送受信情報内容検出部６２、環境情報検出部６３、生体情報検出部６４、コンテンツ選択部６５およびコンテンツ呈示部６６によって構成される。
【００２５】
コンテンツデータベース５０は、上記のコンテンツメモリ４５によって構成され、この例では、花言葉データベース５１、格言データベース５２、イラストデータベース５３、画像データベース５４および音声データベース５５に分けられる。
【００２６】
花言葉データベース５１には、花言葉のテキストデータが蓄積され、格言データベース５２には、格言（ことわざ）のテキストデータが蓄積される。
【００２７】
イラストは、上記のように画像の一種であるが、この例では、イラストデータが、他の画像データとは別に、イラストデータベース５３に蓄積される。画像データベース５４には、イラストデータ以外の画像データが蓄積され、音声データベース５５には、音声フレーズなどの音声データが蓄積される。
【００２８】
送受信タイミング通知部６１は、当該の携帯電話端末１０と他の携帯電話端末との間で通話を行う場合の通話開始や通話終了、当該の携帯電話端末１０でのメール受信や、当該の携帯電話端末１０からのメール送信などを、コンテンツ選択部６５に通知するものである。
【００２９】
送受信情報内容検出部６２は、受信メールや送信メールの内容、通話の音量や時間などの、送受信情報の内容を検出するものである。
【００３０】
環境情報検出部６３は、上述したように携帯電話端末１０が置かれている環境を測定し、環境情報を検出するものであり、生体情報検出部６４は、上述したように携帯電話端末１０を利用する者の生体状況を測定し、生体情報を検出するものである。
【００３１】
コンテンツ選択部６５は、ＣＰＵ１１およびＲＯＭ１３、ＲＡＭ１４などによって構成され、送受信タイミング通知部６１からの通知を受けて、送受信情報内容検出部６２によって送受信情報の内容を検出し、環境情報検出部６３および生体情報検出部６４によって環境情報および生体情報を検出して、後述のようにコンテンツを選択し、そのコンテンツデータをコンテンツデータベース５０から読み出すものである。
【００３２】
コンテンツ呈示部６６は、このコンテンツ選択部６５によって取得されたコンテンツデータを処理して、携帯電話端末１０の利用者にコンテンツを呈示するものである。呈示のための出力手段は、図１および図２の例では、花言葉、格言、イラストおよび画像については、液晶表示部１７であり、音声については、受話器（スピーカ）２６である。
【００３３】
図３に、携帯電話端末１０の外観構成の一例を示す。この例は、携帯電話端末１０が折り畳み型に構成される場合で、その一方の基底部にキー入力部１６および送話器２１が設けられ、他方の開閉部に液晶表示部１７および受話器２６が設けられる。
【００３４】
この例では、携帯電話端末１０の利用者にとって送受信の相手方として想定される者については、あらかじめ、その者からの送信時（携帯電話端末１０での受信時）、またはその者への送信時（携帯電話端末１０からの送信時）などに呈示されるべきコンテンツの種類を指定して、対応テーブルとして保持しておくことができるように、携帯電話端末１０が構成される。
【００３５】
具体的に、キー入力部１６での操作によって、図４に示すように、液晶表示部１７上にデータベース指定画面が表示され、このデータベース指定画面によって、電話帳に既に登録されている、または新たに登録する、それぞれの相手方につき、呈示されるべきコンテンツの種類を、図２に示した５種類のうちから選択できるようにされる。
【００３６】
図４の場合には、『けいこ』および『まみ』については、イラストが指定され、『さくら』および『はなこ』については、花言葉が指定され、『たろう』については、格言が指定され、『りく』については、プルダウンメニューから選択中である。
【００３７】
図５に、花言葉データベース５１の一例を示す。花言葉データベース５１としては、１月１日から１２月３１日までのそれぞれの花言葉のテキストデータに対して、データＩＤ（識別子、例えば識別番号）および属性１，２，３の属性情報が付加される。
【００３８】
図６に示すように、属性１は、当該コンテンツのカテゴリーを示すものであり、属性２は、当該コンテンツにつき定められた時期を示すものであり、属性３は、当該コンテンツにつき定められたメッセージ度を示すものである。
【００３９】
属性２の、時期としては、花言葉の場合には、「１／１」「１２／３１」などというように、当該の花言葉につき定められた月日（月および日）が示され、属性３の、メッセージ度としては、花言葉であるか否かにかかわらず、「なし」「ややあり」「普通」「強」および「最大」の５段階中の、当該コンテンツにつき定められた段階が示される。
【００４０】
図７に、格言データベース５２の一例を示す。格言データベース５２としても、それぞれの格言のテキストデータに対して、データＩＤおよび属性１，２，３の属性情報が付加される。ただし、属性２の、時期としては、格言の場合には、季節や月日を問わないものとして、「＊／＊」で示すように月日が定められない。
【００４１】
図８に、イラストデータベース５３の一例を示す。イラストデータベース５３としても、それぞれのイラスト内容のイラストデータに対して、データＩＤおよび属性１，２，３の属性情報が付加される。
【００４２】
ただし、属性２の、時期としては、データＩＤが１，２，３，４の「犬」のイラストについては、季節や月日を問わないものとして、「＊／＊」で示すように月日が定められず、データＩＤが５の「起立した白熊」のイラストについては、「１２／＊」で示すように１２月と定められ、データＩＤが６の「くじら」のイラストについては、「８／＊」で示すように８月と定められ、データＩＤが７の「イルカ」のイラストについては、「７／＊」で示すように７月と定められる。
【００４３】
〔コンテンツ選択呈示方法の例：図９〜図１５〕
上述した例の携帯電話端末１０では、（１）携帯電話端末１０での受信開始時、受信中、または受信終了時、（２）携帯電話端末１０の利用者が、受信済みで未読のメールを液晶表示部１７上に呼び出したとき、（３）携帯電話端末１０での送信開始時、送信中、または送信終了時、（４）携帯電話端末１０の利用者が、新規メールを作成したときや、作成済みで未送信のメールを編集などのために液晶表示部１７上に呼び出したとき、などにおいて、コンテンツ選択部６５によってコンテンツが選択され、コンテンツ呈示部６６によってコンテンツが呈示される。
【００４４】
図９に、メール受信後にコンテンツを選択表示する場合の、コンテンツ選択部６５およびコンテンツ呈示部６６を構成するＣＰＵ１１が実行するコンテンツ選択呈示処理の一例を示す。
【００４５】
この例のコンテンツ選択呈示処理７０では、メール受信待ち状態において、ステップ７１で、メールを受信すると、ステップ７２に進んで、メール内容を解析し、次にステップ７３に進んで、環境センサ４１および生体センサ４３によって環境情報および生体情報を計測し、さらにステップ７４に進んで、ステップ７１で検出した相手方（メール送信者）およびメール受信日時、ステップ７２で解析したメール内容、およびステップ７３で計測した環境情報および生体情報に基づいて、呈示するコンテンツを選択する。
【００４６】
次に、ステップ７５で、液晶表示部１７上でのメール着信表示、受話器２６によるメール着信音出力、または振動部１８による振動発生によって、メールを受信したことを利用者に通知し、さらに、その通知を受けて、利用者が受信メールを呼び出す操作をすると、ステップ７６に進んで、受信したメールの本文、およびステップ７４で選択したコンテンツを、液晶表示部１７上に表示する。
【００４７】
なお、ステップ７４で選択したコンテンツが、音声データベース５５内の音声データである場合には、ステップ７６では、その音声データによって、受話器（スピーカ）２６から音声フレーズなどを出力する。
【００４８】
図１０に、当該の携帯電話端末１０と他の携帯電話端末との間での通話の終了後にコンテンツを選択表示する場合の、コンテンツ選択部６５およびコンテンツ呈示部６６を構成するＣＰＵ１１が実行するコンテンツ選択呈示処理の一例を示す。
【００４９】
この例のコンテンツ選択呈示処理８０では、着信待ち状態において、ステップ８１で、他端末（相手方）からの着信、または自端末（携帯電話端末１０）からの発信があると、ステップ８２に進んで、通話を開始させ、さらにステップ８３に進んで、環境センサ４１および生体センサ４３によって環境情報および生体情報を計測する。
【００５０】
次に、ステップ８４で、通話が終了すると、ステップ８５に進んで、ステップ８１で検出した相手方、ステップ８２またはステップ８４で検出した通話開始日時または通話終了日時、およびステップ８３で計測した環境情報および生体情報に基づいて、呈示するコンテンツを選択し、さらにステップ８６に進んで、その選択したコンテンツを、液晶表示部１７上に表示する。
【００５１】
なお、ステップ８５で選択したコンテンツが、音声データベース５５内の音声データである場合には、ステップ８６では、その音声データによって、受話器（スピーカ）２６から音声フレーズなどを出力する。
【００５２】
図１１に、図９に示したようにメール受信後にコンテンツを選択表示する場合の、コンテンツ選択部６５におけるコンテンツ選択処理の一例を示す。
【００５３】
この例は、図４で示したように対応テーブル９１上でコンテンツの種類が指定された相手方の一人である『まみ』からのメールを受信した場合で、具体的に『まみ』についてはイラストが指定されている。
【００５４】
さらに、その『まみ』から送信されたメール本文中には、図６に示した属性１（カテゴリー）が「Ｅ：感謝に関するもの」である『ありがとう』という語句、および属性２（時期）が「１２／＊」である『１２月』という語句が存在し、かつ、そのメールが１１月１０日の１２時２５分に受信された場合である。
【００５５】
また、この例は、環境センサ４１として温度センサが設けられて、携帯電話端末１０の周囲の気温が測定されるとともに、生体センサ４３として脈拍センサが設けられて、携帯電話端末１０を把持する利用者の脈拍数が計測される場合である。
【００５６】
そして、コンテンツ選択部６５は、図９のステップ７２では、受信したメール本文中の『ありがとう』という語句から、属性１として「Ｅ：感謝に関するもの」というカテゴリーを抽出し、『１２月』という語句から、属性２として「１２／＊」（１２月）という時期を抽出するとともに、『１１月１０日１２時２５分』というメール受信日時から、属性２として「１１／１０」（１１月１０日）という時期を抽出する。
【００５７】
さらに、コンテンツ選択部６５は、図９のステップ７３では、図１１の時点ｔ１から時点ｔ２までに渡る時間において、環境情報および生体情報として気温および脈拍数を計測して、気温からは、例えば、気温が中程度であることから、属性３として「段階２（メッセージ度普通）」のメッセージ度を抽出し、脈拍数からは、例えば、脈拍数が比較的多いことから、属性３として「段階３（メッセージ度強）」のメッセージ度を抽出する。
【００５８】
なお、環境情報および生体情報からは、このように属性３としてメッセージ度を抽出するが、その判定にあたっては、環境情報のうち、気温、湿度、気圧、風速、風量、照度などのように直接、数値で表されるものについては、平常値を「段階０（メッセージ度なし）」として、これから離れるに従ってメッセージ度の段階を高くし、風向き、位置、地理的状況、照明色などのように直接、数値で表されないものについては、あらかじめ定められた風向き、位置、地理的状況、照明色などを「段階０（メッセージ度なし）」として、これから離れるに従ってメッセージ度の段階を高くし、生体情報についても、同様とする。
【００５９】
生体情報、例えば脈拍数や呼吸数につき、このように属性３の段階を定めることによって、携帯電話端末１０の利用者の、その時の活性度、覚醒度、集中度、リラックス度、ストレス度、疲労度、快不快度などを推測することができる。具体的に、属性３の段階が高いほど、活性度、覚醒度または集中度は高いが、リラックス度は低く、ストレス度または疲労度は高い、と判断することができる。
【００６０】
コンテンツ選択部６５は、図９のステップ７４では、メール送信者が『まみ』で、対応テーブル９１上で『まみ』についてはイラストが指定されていることから、まず、呈示するコンテンツの種類としてイラストを選択し、すなわちイラストデータベース５３を選択し、次に、上記の解析結果を重み付け判断して、呈示するコンテンツを選択する。
【００６１】
上記の例では、属性２（時期）については、メール内容から判断される「１２月」、およびメール受信日時から判断される「１１月」の、２つの異なる解析結果が得られるが、例えば、メール内容から判断される「１２月」を優先して、属性２（時期）は「１２月」と決定し、属性３（メッセージ度）については、環境情報である気温から判断される「段階２（メッセージ度普通）」、および生体情報である脈拍数から判断される「段階３（メッセージ度強）」の、２つの異なる解析結果が得られるが、例えば、生体情報である脈拍数から判断される「段階３（メッセージ度強）」を優先して、属性３（メッセージ度）は「段階３（メッセージ度強）」と決定する。
【００６２】
したがって、上記の例では、コンテンツの種類はイラスト、属性１（カテゴリー）は「Ｅ：感謝に関するもの」、属性２（時期）は「１２月」、属性３（メッセージ度）は「段階３（メッセージ度強）」と決定され、コンテンツ選択部６５は、これら解析結果を総合的に判断して、図８に示したイラストデータベース５３内のイラスト中で、属性の合致点が最も多いイラスト、すなわちデータＩＤが５の「起立した白熊」のイラスト（属性１のカテゴリーは「Ｑ：端末の動物」、属性２の時期は「１２月」、属性３のメッセージ度は「段階３（メッセージ度強）」）を選択し、そのイラストデータをイラストデータベース５３から読み出す。
【００６３】
これによって、図９のステップ７６では、図１２に示すように、液晶表示部１７上に、メール本文９２とともに、「起立した白熊」のイラスト９３が表示される。
【００６４】
対応テーブル９１上でコンテンツの種類が指定された相手方の一人である『りく』からのメールを受信した場合には、具体的に『りく』については格言が指定されているので、メール内容、メール受信日時、環境情報としての気温、および生体情報としての脈拍数の解析結果から、例えば、図７に示したデータＩＤが２の「善は急げ」という格言が選択され、図１３に示すように、液晶表示部１７上に、メール本文９２とともに、「善は急げ」という格言９４が表示される。
【００６５】
また、対応テーブル９１上でコンテンツの種類が指定された相手方の一人である『さくら』からのメールを受信した場合には、具体的に『さくら』については花言葉が指定されているので、メール内容、メール受信日時、環境情報としての気温、および生体情報としての脈拍数の解析結果から、例えば、図５に示したデータＩＤが３の「あなたを待っています・クロッカス」という花言葉が選択され、図１４に示すように、液晶表示部１７上に、メール本文９２とともに、「あなたを待っています・クロッカス」という花言葉９５が表示される。
【００６６】
図１０に示したように通話終了後にコンテンツを選択表示する場合にも、通話の相手方と、通話開始日時または通話終了日時、環境情報および生体情報の解析結果とから、コンテンツが選択されるが、この場合には、図２に示したように通話音量や通話時間を考慮に入れることができる。
【００６７】
具体的に、通話音量または通話時間からは、属性３（メッセージ度）を抽出し、通話音量が所定値以下のとき、または通話時間が所定時間以下のときには、「段階０（メッセージ度なし）」として、これより通話音量が大きくなるに従って、または通話時間が長くなるに従って、メッセージ度の段階を高くする。
【００６８】
例えば、対応テーブル９１上で通話の相手方につき花言葉が指定されている場合、以上のような解析の結果、例えば、図５に示したデータＩＤが７の「まさかのときの友・スノードロップ」という花言葉が選択され、図１５に示すように、液晶表示部１７上に、「まさかのときの友・スノードロップ」という花言葉９６が表示される。
【００６９】
図９および図１１の例は、携帯電話端末１０で相手方からのメールを受信したとき、携帯電話端末１０でコンテンツを選択呈示する場合であるが、携帯電話端末１０の利用者が、新規メールを作成したとき、作成済みで未送信のメールを編集などのために液晶表示部１７上に呼び出したとき、メールを相手方に送信するとき、またはメールを相手方に送信したときなどに、携帯電話端末１０でコンテンツを選択呈示するように、構成することもできる。
【００７０】
この場合には、受信メールの代わりに送信メールの内容を解析し、メール受信日時の代わりに送信メールの作成日時や送信日時を解析して、コンテンツを選択するように、構成すればよい。
【００７１】
また、通話終了後など、通話の際にコンテンツを選択呈示する場合、音声認識によって通話内容（会話内容）を解析して、『ありがとう』などの言葉によって上記の属性１（カテゴリー）を抽出し、その結果を考慮してコンテンツを選択するように、構成することもできる。
【００７２】
〔他の実施形態〕
上述した例は、コンテンツを選択呈示する側の携帯電話端末１０が置かれている環境を測定し、携帯電話端末１０を利用する者の生体状況を測定して、コンテンツ選択の参照情報とする場合であるが、相手方の携帯電話端末も携帯電話端末１０と同様の構成である場合には、相手方の携帯電話端末から携帯電話端末１０にメールを送信する際などに、相手方の携帯電話端末が置かれている環境を測定し、相手方の生体状況を測定して、その環境情報や生体情報を、相手方の携帯電話端末から携帯電話端末１０に送信し、携帯電話端末１０では、メールなどとともに、その環境情報や生体情報を受信し、解析して、呈示するコンテンツを選択するように、構成することもできる。
【００７３】
この場合には、携帯電話端末１０の利用者は、選択呈示されたコンテンツから、相手方の環境や生体状況を推測することができ、自身の環境や生体状況の解析結果に応じてコンテンツが選択される場合とは趣きの異なるエンターテインメント性や意外性・偶然性が得られる。
【００７４】
また、上述した例は、送受信タイミング、送受信内容、環境情報および生体情報という複数の情報を解析して、呈示するコンテンツを選択する場合であるが、例えば、送受信タイミングのみに基づいて、すなわちメール受信時刻や通話終了時刻などによって、呈示するコンテンツをランダムに選択するように、構成してもよい。
【００７５】
また、上述した例は、コンテンツデータがコンテンツデータベース５０として、携帯電話端末１０が備えるコンテンツメモリ４５に格納されている場合であるが、コンテンツデータは、図１の外部メモリ３２のような携帯電話端末１０に装着される記録媒体に格納されていて、コンテンツ選択呈示時、その記録媒体から読み出すように、または、ネットワーク上に接続された配信サーバ上に蓄積されていて、コンテンツ選択呈示時、その配信サーバに接続して配信サーバから受信取得するように、システムを構成してもよい。
【００７６】
さらに、この発明は、携帯電話端末に限らず、その他の通信端末にも適用することができる。
【図面の簡単な説明】
【００７７】
【図１】この発明の通信端末の一例の携帯電話端末の機能ブロック構成を示す図である。
【図２】図１の携帯電話端末のコンテンツ選択呈示に関する構成を示す図である。
【図３】図１の携帯電話端末の外観構成の一例を示す図である。
【図４】コンテンツの種類の指定の説明に供する図である。
【図５】花言葉データベースの一例を示す図である。
【図６】各コンテンツデータに付加される属性情報の一例を示す図である。
【図７】格言データベースの一例を示す図である。
【図８】イラストデータベースの一例を示す図である。
【図９】コンテンツ選択呈示処理の一例を示す図である。
【図１０】コンテンツ選択呈示処理の他の例を示す図である。
【図１１】コンテンツ選択処理の一例を示す図である。
【図１２】コンテンツ呈示の例を示す図である。
【図１３】コンテンツ呈示の例を示す図である。
【図１４】コンテンツ呈示の例を示す図である。
【図１５】コンテンツ呈示の例を示す図である。
【符号の説明】
【００７８】
主要部については図中に全て記述したので、ここでは省略する。
【図１】
2005316650.tif 000003
【図２】
2005316650.tif 000004
【図３】
2005316650.tif 000005
【図４】
2005316650.tif 000006
【図５】
2005316650.tif 000007
【図６】
2005316650.tif 000008
【図７】
2005316650.tif 000009
【図８】
2005316650.tif 000010
【図９】
2005316650.tif 000011
【図１０】
2005316650.tif 000012
【図１１】
2005316650.tif 000013
【図１２】
2005316650.tif 000014
【図１３】
2005316650.tif 000015
【図１４】
2005316650.tif 000016
【図１５】
2005316650.tif 000017